(57)【要約】      （修正有）【課題】商品搬送時や商品陳列時に商品を脱落させることなく確実に収容保持して商品の損傷を確実に保護するとともに優れた形態安定性を発揮し、宣伝情報等の高精細なカラー印刷が容易な商品包装体筒状包装カバー商品包装体を提供する。【解決手段】商品包装体１００は、商品を容器裏面側から収容して容器表面側に膨出する商品収容部を形成した透明なブリスター容器１２０とブリスター容器を挿入自在に外装する筒状包装カバー１１０とで構成され、ブリスター容器は、筒状包装カバーの外表面上に膨出して筒状包装カバーに設けた係合孔１１４に係合自在となる突起部１２６を有し、筒状包装カバーは、紙材から造作されているとともに商品収容部の表面側を露呈させるように開口した商品視認窓１１５を備える。【選択図】図１
0003229452.tif 000002
【実用新案登録請求の範囲】
【請求項１】
商品を容器裏面側から収容して容器表面側に膨出する商品収容部を形成した透明なブリスター容器と該ブリスター容器を挿入自在に外装する筒状包装カバーとで構成された商品包装体であって、
前記ブリスター容器が、前記筒状包装カバーの外表面上に膨出して前記筒状包装カバーに設けた係合孔に係合自在となる突起部を有し、
前記筒状包装カバーが、紙材から造作されているとともに前記商品収容部の表面側を露呈させるように開口した商品視認窓を備えていることを特徴とする商品包装体。
【請求項２】
前記筒状包装カバーが、前記ブリスター容器を挿入した外装状態で自立可能な底部挿入口端縁を備えていることを特徴とする請求項１に記載の商品包装体。
【請求項３】
前記ブリスター容器が、前記筒状包装カバーに外装状態で前記筒状包装カバーの挿入口を閉塞する容器外周壁面を備えていることを特徴とする請求項１又は請求項２に記載の商品包装体。
【請求項４】
前記ブリスター容器が、前記筒状包装カバーのカバー正側面を支持する正面側支持面と前記筒状包装カバーのカバー背側面を支持する背面側支持面とを前記商品収容部の挿入方向に沿って備えていることを特徴とする請求項１乃至請求項３のいずれか１項に記載の商品包装体。
【請求項５】
前記筒状包装カバーが、カバー正側面とカバー背側面との間で折り畳むことにより扁平自在となるノックダウンタイプであることを特徴とする請求項１乃至請求項４のいずれか１項に記載の商品包装体。
【考案の詳細な説明】
【技術分野】
【０００１】
本考案は、商品を保持、収納する商品包装体に関し、特に商品搬送時や商品陳列時に商品を脱落させることなく確実に収容保持して商品の損傷を確実に保護するとともに優れた形態安定性を発揮し、宣伝情報等の高精細なカラー印刷が容易な商品包装体に関するものである。
【背景技術】
【０００２】
従来、嵌合突起を備えた内容器と係合孔を備えた外容器からなる商品包装体において、内容器と外容器との両方を、可撓性を有するプラスチック材で形成したものが知られている（特許文献１参照）。
【先行技術文献】
【特許文献】
【０００３】
【特許文献１】実用新案登録第３００４１７３号公報
【考案の概要】
【考案が解決しようとする課題】
【０００４】
しかしながら、従来の商品包装体のように、内容器と外容器との両方を、可撓性を有するプラスチック材から形成した、いわゆるブリスター容器とした場合には、プラスチック材への宣伝情報等の印刷コストが高く、細かいカラー印刷が困難であるという問題があった。
一方、内容器と外容器との両方を紙製の容器とした場合には、外容器が不透明であるため収容している商品を観察することができず、さらに、内容器に嵌合突起を作りにくいという問題が生じる。
【０００５】
そこで、本考案は、前述したような従来技術の問題を解決するものであって、すなわち、本考案の目的は、商品搬送時や商品陳列時に商品を脱落させることなく確実に収容保持して商品の損傷を確実に保護するとともに優れた形態安定性を発揮し、宣伝情報等の高精細なカラー印刷が容易な商品包装体商品包装体を提供することである。
【課題を解決するための手段】
【０００６】
請求項１に係る考案は、商品を容器裏面側から収容して容器表面側に膨出する商品収容部を形成した透明なブリスター容器と該ブリスター容器を挿入自在に外装する筒状包装カバーとで構成された商品包装体であって、前記ブリスター容器が、前記筒状包装カバーの外表面上に膨出して前記筒状包装カバーに設けた係合孔に係合自在となる突起部を有し、前記筒状包装カバーが、紙材から造作されているとともに前記商品収容部の表面側を露呈させるように開口した商品視認窓を備えていることにより、前述した課題を解決するものである。
【０００７】
請求項２に係る考案は、請求項１に係る考案の構成に加えて、前記筒状包装カバーが、前記ブリスター容器を挿入した外装状態で自立可能な底部挿入口端縁を備えていることにより、前述した課題をさらに解決するものである。
【０００８】
請求項３に係る考案は、請求項１又は請求項２に係る考案の構成に加えて、前記ブリスター容器が、前記筒状包装カバーに外装状態で前記筒状包装カバーの挿入口を閉塞する容器外周壁面を備えていることにより、前述した課題をさらに解決するものである。
【０００９】
請求項４に係る考案は、請求項１乃至請求項３のいずれか１項に係る考案の構成に加えて、前記ブリスター容器が、前記筒状包装カバーのカバー正側面を支持する正面側支持面と前記筒状包装カバーのカバー背側面を支持する背面側支持面とを前記商品収容部の挿入方向に沿って備えていることにより、前述した課題をさらに解決するものである。
【００１０】
請求項５に係る考案は、請求項１乃至請求項４のいずれか１項に係る考案の構成に加えて、前記筒状包装カバーが、カバー正側面とカバー背側面との間で折り畳むことにより扁平自在となるノックダウンタイプであることにより、前述した課題をさらに解決するものである。
【考案の効果】
【００１１】
請求項１に係る考案の商品包装体によれば、商品を容器裏面側から収容して容器表面側に膨出する商品収容部を形成したブリスター容器とこのブリスター容器を挿入自在に外装する筒状包装カバーとで構成されていることにより、商品がブリスター容器に被覆された状態で商品収容部に収容されて筒状包装カバー側に直に露出することがないため、ブリスター容器が商品搬送時や商品陳列時に外部から受けがちな商品の損傷を確実に保護することができるばかりでなく、ブリスター容器に形成した商品収容部が、筒状包装カバーで外装されているため、商品収容部内に収容された商品を不用意に脱落させることなく確実に収容保持することができる。
【００１２】
また、ブリスター容器が、筒状包装カバーの外表面上に膨出して筒状包装カバーに設けた係合孔に係合自在となる突起部を有していることにより、ブリスター容器が筒状包装カバーに確実に位置決め装着されるため、商品包装体が優れた形態安定性を発揮することができる。
【００１３】
しかも、筒状包装カバーが、紙材から造作されているとともに商品収容部の表面側を露呈させるように開口した商品視認窓を備えていることにより、筒状包装カバーの紙面に宣伝情報等を高精細にカラー印刷することが可能になるばかりでなく、商品視認窓を介して商品収容部内の商品を視認することが可能になるため、商品包装体に収容された商品の商品価値を充分に把握することができる。
【００１４】
本考案の請求項２に係る考案の商品包装体によれば、請求項１に係る考案が奏する効果に加えて、筒状包装カバーがブリスター容器を挿入した外装状態で自立可能な底部挿入口端縁を備えていることにより、筒状包装カバーがブリスター容器を挿入した外装状態で自立可能になるため、陳列用のフックやバーがない店舗であっても陳列棚などの平坦面上に自立状態で陳列することができる。
【００１５】
本請求項３に係る考案の商品包装体によれば、請求項１又は請求項２に係る考案が奏する効果に加えて、ブリスター容器が筒状包装カバーに外装状態で筒状包装カバーの挿入口を閉塞する容器外周壁面を備えていることにより、ブリスター容器の容器外周壁面が筒状包装カバーの挿入口を閉塞するため、商品包装体内への埃の侵入を防止することができる。
【００１６】
本請求項４に係る考案の商品包装体によれば、請求項１乃至請求項３のいずれか１項に係る考案が奏する効果に加えて、ブリスター容器が、筒状包装カバーのカバー正側面を支持する正面側支持面と前記筒状包装カバーのカバー背側面を支持する背面側支持面とを前記商品収容部の挿入方向に沿って備えていることにより、ブリスター容器の正面側支持面と背面側支持面とが筒状包装カバー内にブリスター容器を挿入する際に筒状包装カバーの内周面に対して円滑に摺動して誘導するため、ブリスター容器と筒状包装カバーとの組付け作業を簡便に達成し、しかも、ブリスター容器と筒状包装カバーとの組付け後においては、ブリスター容器の正面側支持面と背面側支持面とが筒状包装カバーのカバー正側面とカバー背側面とをそれぞれ確実に支持するため、商品包装体がより優れた形態安定性を発揮することができる。
【００１７】
本請求項５に係る考案の商品包装体によれば、請求項１乃至請求項４のいずれか１項に係る考案が奏する効果に加えて、筒状包装カバーが、カバー正側面とカバー背側面との間で折り畳むことにより扁平自在となるノックダウンタイプであることにより、筒状包装カバーがブリスター容器を挿入する前段階においてカバー正側面とカバー背側面との間で扁平に折り畳んでスタッキングすることが可能となるため、筒状包装カバーが嵩高にならず、その取り扱いをコンパクトにかつ簡便に達成することができる。
【図面の簡単な説明】
【００１８】
【図１】本考案の第一の実施例に係る商品包装体を自立陳列させている状態を示す模式図。模式図。
【図２】本考案の商品包装体を構成する筒状包装カバーを示す模式図。
【図３】本考案の商品包装体を構成するブリスター容器を示す模式図。
【図４Ａ】本考案のブリスター容器を筒状包装カバー内に挿入する様子を示す模式図。
【図４Ｂ】本考案のブリスター容器を筒状包装カバー内に挿入する際に筒状包装カバーが撓む様子を示す模式図。
【図５Ａ】図１の模式的ＡＡ’断面図。
【図５Ｂ】図１の模式的ＢＢ’断面図。
【図６】本考案の筒状包装カバーを折曲線に沿って折り畳み平坦にする様子を示す模式図。
【図７】本考案の第二の実施例に係る商品包装体の筒状包装カバーを示す模式図。
【図８】本考案の第二の実施例に係る商品包装体のブリスター容器を示す模式図。
【考案を実施するための形態】
【００１９】
本考案は、商品を容器裏面側から収容して容器表面側に膨出する商品収容部を形成したブリスター容器とこのブリスター容器を挿入自在に外装する筒状包装カバーとで構成され、ブリスター容器が、筒状包装カバーの外表面上に膨出して筒状包装カバーに設けた係合孔に係合自在となる突起部を有し、筒状包装カバーが、紙材から造作されているとともに商品収容部の表面側を露呈させるように開口した商品視認窓を備えていることにより、商品収容部内に収容された商品を不用意に脱落させることなく確実に収容保持することができ、商品包装体が優れた形態安定性を発揮することができ、筒状包装カバーの紙面に宣伝情報等を高精細にカラー印刷することが可能になり、商品包装体に収容された商品の商品価値を充分に把握することができるものであれば、その具体的な実施態様は如何なるものであっても構わない。
【００２０】
例えば、突起部は有底短円筒状の他に、三角形、四角形、星形又はハート形等任意形状の有底筒状若しくは半球又は四角錐台等のドーム状その他の形状に構成することができ、突起部の形状と位置に応じて係合孔の形状と位置を決定すれば、商品を収容したブリスター容器を筒状包装カバー内に係合固定することができる。
【００２１】
筒状包装カバーの素材は、紙材に限られるものではなく、不透明で高精細のカラー印刷ができ、筒状に加工できる可撓性素材を用いることができる。
【００２２】
また、底部挿入口端縁を構成する筒状包装カバーのカバー正側面、カバー右側面、カバー背側面及びカバー左側面の各底端縁は、カバー正側面、カバー右側面、カバー背側面又はカバー左側面にわたって直線状に構成されている必要はなく、例えば、いずれかのカバー側面がその底端に舌片を備えており、その舌片の底端縁が他の側壁の底端縁又は他の側面が備えている舌片の底端縁と同一平面内に配置されていれば、商品収容後の外装状態において商品包装体を平坦面上に自立状態で陳列することができる。
【実施例】
【００２３】
以下に、本考案の実施例に係る商品包装体について、図１乃至図６に基づいて説明する。
【００２４】
ここで、図１は、本考案の実施例に係る商品包装体を自立陳列させている状態を示す模式図であり、図２は、本考案の商品包装体を構成する筒状包装カバーを示す模式図であり、図３は、本考案の商品包装体を構成するブリスター容器を示す模式図であり、図４Ａは、本考案のブリスター容器を筒状包装カバー内に挿入する様子を示す模式図であり、図４Ｂは、本考案のブリスター容器を筒状包装カバー内に挿入する際に筒状包装カバーが撓む様子を示す模式図であり、図５Ａは、図１の模式的ＡＡ’断面図であり、図５Ｂは、図１の模式的ＢＢ’断面図であり、図６は、本考案の筒状包装カバーを折曲線に沿って折り畳み平坦にする様子を示す模式図である。
【００２５】
本実施例に係る商品包装体は、図１乃至図３に示すように、商品収容部１２５と突起部１２６とを備えるブリスター容器１２０と、係合孔１１４を備えて頂部挿入口１１０Ｔから底部挿入口１１０Ｂまで連通する筒状包装カバー１１０とからなり、ブリスター容器１２０が筒状包装カバー１１０内に収納された外装状態において突起部１２６が係合孔１１４に嵌合し、筒状包装カバー１１０が、外装状態において商品収容部１２５に対応する正面位置に商品視認窓１１５を備えて紙からなる商品包装体１００である。
【００２６】
以下、本実施例に係る商品包装体１００の各部の構成について詳細に説明する。特に断りがない限り、図１に示す状態を基準として上下左右正面背面頂部底部の用語を用いる。
【００２７】
筒状包装カバー１１０は、紙材から造作されており、図２及び図６に示すように、それぞれ長方形の外形を有して直立するカバー正側面１１１、カバー左側面１１２ａ、カバー右側面１１２ｂ及びカバー背側面１１３を備えており、全体として左右に細長い長方形の断面形状を有する角筒状に構成されている。
すなわち、筒状包装カバー１１０は、前後の厚み寸法よりも左右の幅寸法が大きい外形を有する筒状に構成されている。
【００２８】
また、筒状包装カバー１１０のカバー正側面１１１、カバー左側面１１２ａ、カバー右側面１１２ｂ及びカバー背側面１１３は、４つの折曲線１１０Ｆにおいて連接して角筒状に構成されている。
【００２９】
また、筒状包装カバー１１０を構成するカバー正側面１１１のカバー正側面底端縁１１１Ｂ、カバー左側面１１２ａのカバー左側面底端縁１１２ａＢ、カバー右側面１１２ｂのカバー右側面底端縁１１２ｂＢ及びカバー背側面１１３のカバー背側面底端縁１１３Ｂは、同一平面内に配置されている。
すなわち、筒状包装カバー１１０は、同一平面内に配置された複数の底端縁からなる底部挿入口端縁１１０ＢＢを備えている。
【００３０】
筒状包装カバー１１０を構成しているカバー正側面１１１には、係合孔１１４、商品視認窓１１５、吊り下げて陳列するための陳列用孔部１１６が設けられている。
【００３１】
ブリスター容器１２０は、透明樹脂により一体成型されている。
【００３２】
ブリスター容器１２０は、外形が略長方形の直立する正面側支持面１２１と、この正面側支持面１２１の上下左右の外周に沿ってそれぞれ背面側に延びる容器外周壁面（左）１２２ａ、容器外周壁面（右）１２２ｂ、容器外周壁面（上）１２２ｃ及び容器外周壁面（下）１２２ｄを備えている。
【００３３】
さらに、これら容器外周壁面（左）１２２ａ、容器外周壁面（右）１２２ｂ、容器外周壁面（上）１２２ｃ及び容器外周壁面（下）１２２ｄの最も背面側には、それぞれ左周縁部１２７ａ、右周縁部１２７ｂ、上周縁部１２７ｃ及び下周縁部１２７ｄがそれぞれ外向きに突出形成されている。
【００３４】
正面側支持面１２１は、突起部１２６を備えている。この突起部１２６は、正面側支持面１２１の右上隅近傍に配置されて、有底の短円筒状に形成されて正面側に膨出している。
【００３５】
正面側支持面１２１には、その中央から左側にかけて、背面側に凹んでいる凹部１２４が形成されている。凹部１２４は、凹部左面１２４ａ、凹部右面１２４ｂ、凹部上面１２４ｃ及び凹部下面１２４ｄによりその範囲が規定されており、凹部１２４の背面側は、外形が略長方形の直立している背面側支持面１２３により規定されている。
【００３６】
背面側支持面１２３の中央部位には、正面側にドーム状に膨出している商品収容部１２５が設けられて商品収容空間Ｓが形成されており、この商品収容空間Ｓ内に背面側から商品Ｐを収容することができる。
【００３７】
次に、図４Ａ及び図４Ｂを参照して、ブリスター容器１２０を筒状包装カバー１１０内に挿入して外装状態とする手順を説明する。
【００３８】
まず、図４Ａに示すように、商品収容空間Ｓ内に商品Ｐを収容したブリスター容器１２０を、筒状包装カバー１１０の頂部挿入口１１０Ｔから挿入する。
【００３９】
ブリスター容器１２０の容器外周壁面（上）１２２ｃ及び容器外周壁面（下）１２２ｄの寸法形状は、筒状包装カバー１１０の内部空間の形状寸法と略同一に設定してあり、ブリスター容器１２０は摺動自在に筒状包装カバー１１０内に挿入することができ、ブリスター容器１２０の正面側支持面１２１及び背面側支持面１２３は、筒状包装カバー１１０のカバー正側面１１１及びカバー背側面１１３の内周面をそれぞれ摺擦しながら挿入される。
【００４０】
ブリスター容器１２０の突起部１２６は正面側支持面１２１よりも正面側に膨出しているため、突起部１２６が筒状包装カバー１１０の頂部挿入口１１０Ｔに到達すると、突起部１２６が頂部挿入口１１０Ｔを構成するカバー正側面１１１の上端にぶつかるため、そのままでは挿入することができない。
【００４１】
そのため、図４Ｂに示すように、突起部１２６を筒状包装カバー１１０内に挿入する際には、筒状包装カバー１１０のカバー左側面１１２ａとカバー右側面１１２ｂとを内向きに若干倒れるように変形させ、さらにカバー正側面１１１を変形させて、頂部挿入口１１０Ｔの厚み方向の寸法を部分的に大きくした状態で突起部１２６をさらに挿入して、頂部挿入口１１０Ｔを通過させる。
【００４２】
さらに挿入を続けて、ブリスター容器１２０の突起部１２６が筒状包装カバー１１０の係合孔１１４の位置に到達すると、突起部１２６が係合孔１１４に嵌合し、図１、図５Ａ及び図５Ｂに示すように、カバー正側面１１１の外表面から膨出して、筒状包装カバー１１０とブリスター容器１２０とが係合固定される。
【００４３】
ブリスター容器１２０の突起部１２６が筒状包装カバー１１０の係合孔１１４に嵌合して係合固定されたときには、ブリスター容器１２０は突起部１２６を除き完全に筒状包装カバー１１０内に収納された外装状態になる。
【００４４】
図１及び図５Ｂに示すように、外装状態においては、ブリスター容器の容器外周壁面（上）１２２ｃ及び容器外周壁面（下）１２２ｄが、筒状包装カバー１１０の頂部挿入口１１０Ｔ及び底部挿入口１１０Ｂの直近内側に配置されて、頂部挿入口１１０Ｔ及び底部挿入口１１０Ｂを閉塞する。
【００４５】
図１、図５Ａ及び図５Ｂに示すように、筒状包装カバー１１０の商品視認窓１１５は、外装状態においてカバー正側面１１１の商品収容部１２５に対応する位置に配置されており、商品収容部１２５の表面側を露呈して商品Ｐを正面から観察できるように構成されている。
【００４６】
次に、多数の筒状包装カバー１１０を運搬用段ボール箱等に箱詰めする際の変形方法について説明する。
【００４７】
筒状包装カバー１１０は、４つの折曲線１１０Ｆにおいて、カバー正側面１１１、カバー右側面１１２ｂ、カバー背側面１１３及びカバー左側面１１２ａが連接して構成されており、正面幅寸法Ｌ１１１と左面厚み寸法Ｌ１１２ａの合計が、背面幅寸法Ｌ１１３と右面厚み寸法Ｌ１１２ｂの合計と一致している。
換言すれば、カバー正側面１１１とカバー左側面１１２ａの周方向寸法の合計が、カバー背側面１１３とカバー右側面１１２ｂの周方向寸法の合計と一致している。
【００４８】
また、正面幅寸法Ｌ１１１と右面厚み寸法Ｌ１１２ｂの合計が、背面幅寸法Ｌ１１３と左面厚み寸法Ｌ１１２ａの合計と一致している。
換言すれば、カバー正側面１１１とカバー右側面１１２ｂの周方向寸法の合計が、カバー背側面１１３とカバー左側面１１２ａの周方向寸法の合計と一致している。
【００４９】
筒状包装カバー１１０は、図６に示すように、相互に隣接していない２つの折曲線１１０Ｆに沿って折り曲がるように力を加えれば、筒状包装カバー１１０全体が平坦な形態に折り畳むことにより扁平自在となるノックダウンタイプとして構成されている。また、平坦に降り畳んである筒状包装カバー１１０を引き起こすことにより、角筒状の形態にして商品の包装に用いることができる。
［変形例］
【００５０】
次に、本考案の実施例に係る変形例の筒状包装カバー２１０及びブリスター容器２２０について、図７及び図８を参照して説明する。図７は、本考案の第二の実施例に係る商品包装体の筒状包装カバーを示す模式図であり、図８は、本考案の第二の実施例に係る商品包装体のブリスター容器を示す模式図である。なお、先の実施例と共通する要素については、同一の名称及び記号・番号を付している。
【００５１】
本変形例の筒状包装カバー２１０は、係合孔１１４がカバー背側面１１３に設けられている点で実施例の筒状包装カバー１１０と異なっている。
【００５２】
本変形例のブリスター容器２２０は、突起部１２６が背面側支持面１２３に設けられて、背面側支持面１２３から背面側に膨出している点で実施例のブリスター容器１２０と異なっている。
【００５３】
本変形例の筒状包装カバー２１０及びブリスター容器２２０を用いる場合には、ブリスター容器２２０の背面側支持面１２３に設けられている突起部１２６が、筒状包装カバー２１０のカバー背側面１１３に設けられている係合孔１１４に嵌合して、ブリスター容器２２０が筒状包装カバー２１０内に収納された外装状態となり、実施例と同様に好適な商品包装体を構成することができる。
【００５４】
以上説明してきたように、本実施例又は本変形例に係る商品包装体１００によれば、商品Ｐを容器裏面側から収容して容器表面側に膨出する商品収容部１２５を形成したブリスター容器１２０（２２０）とこのブリスター容器１２０（２２０）を挿入自在に外装する筒状包装カバー１１０（２１０）とで構成されていることにより、商品Ｐがブリスター容器１２０（２２０）に被覆された状態で商品収容部１２５に収容されて筒状包装カバー１１０（２１０）側に直に露出することがないため、ブリスター容器１２０（２２０）が商品搬送時や商品陳列時に外部から受けがちな商品Ｐの損傷を確実に保護することができるばかりでなく、ブリスター容器１２０（２２０）に形成した商品収容部１２５が、筒状包装カバー１１０（２１０）で外装されているため、商品収容部内１２５に収容された商品Ｐを不用意に脱落させることなく確実に収容保持することができる。
【００５５】
また、ブリスター容器１２０（２２０）が、筒状包装カバー１１０（２１０）の外表面上に膨出して筒状包装カバー１１０（２１０）に設けた係合孔１１４に係合自在となる突起部１２６を有していることにより、ブリスター容器１２０（２２０）が筒状包装カバー１１０（２１０）に確実に位置決め装着されるため、商品包装体１００が優れた形態安定性を発揮することができる。
【００５６】
しかも、筒状包装カバー１１０（２１０）が、紙材から造作されているとともに商品収容部１２５の表面側を露呈させるように開口した商品視認窓１１５を備えていることにより、筒状包装カバー１１０（２１０）の紙面に宣伝情報等を高精細にカラー印刷することが可能になるばかりでなく、商品視認窓１１５を介して商品収容部１２５内の商品Ｐを視認することが可能になるため、商品包装体１００に収容された商品Ｐの商品価値を充分に把握することができる。
【００５７】
また、筒状包装カバー１１０（２１０）がブリスター容器１２０（２２０）を挿入した外装状態で自立可能な底部挿入口端縁１１０ＢＢを備えていることにより、筒状包装カバー１１０（２１０）がブリスター容器１２０（２２０）を挿入した外装状態で自立可能になるため、陳列用のフックやバーがない店舗であっても陳列棚などの平坦面上に自立状態で陳列することができる。
【００５８】
ブリスター容器１２０（２２０）が筒状包装カバー１１０（２１０）に外装状態で筒状包装カバー１１０（２１０）の頂部挿入口１１０Ｔ及び底部挿入口１１０Ｂを閉塞する容器外周壁面（上）１２２ｃ及び容器外周壁面（下）１２２ｄを備えていることにより、ブリスター容器１２０の容器外周壁面（上）１２２ｃ及び容器外周壁面（下）１２２ｄが筒状包装カバー１１０（２１０）の頂部挿入口１１０Ｔ及び底部挿入口１１０Ｂを閉塞するため、商品包装体内１００への埃の侵入を防止することができる。
【００５９】
ブリスター容器１２０（２２０）が、筒状包装カバー１１０（２１０）のカバー正側面１１１を支持する正面側支持面１２１と筒状包装カバー１１０（２１０）のカバー背側面１１３を支持する背面側支持面１２３とを商品収容部１２５の挿入方向に沿って備えていることにより、ブリスター容器１２０の正面側支持面１２１と背面側支持面１２３とが筒状包装カバー１１０（２１０）内にブリスター容器１２０（２２０）を挿入する際に筒状包装カバー１１０（２１０）の内周面に対して円滑に摺動して誘導するため、ブリスター容器１２０（２２０）と筒状包装カバー１１０（２１０）との組付け作業を簡便に達成し、しかも、ブリスター容器１２０（２２０）と筒状包装カバー１１０（２１０）との組付け後においては、ブリスター容器１２０の正面側支持面１２１と背面側支持面１２３とが筒状包装カバー１１０（２１０）のカバー正側面１１１とカバー背側面１１３とをそれぞれ確実に支持するため、商品包装体１００がより優れた形態安定性を発揮することができる。
【００６０】
筒状包装カバー１１０（２１０）が、カバー正側面１１１とカバー背側面１１３との間で折り畳むことにより扁平自在となるノックダウンタイプであることにより、筒状包装カバー１１０（２１０）がブリスター容器１２０（２２０）を挿入する前段階においてカバー正側面１１１とカバー背側面１１３との間で扁平に折り畳んでスタッキングすることが可能となるため、筒状包装カバー１１０（２１０）が嵩高にならず、その取り扱いをコンパクトにかつ簡便に達成することができる。
【００６１】
以上、本考案に係る商品包装体について実施例、変形例を用いて説明したが、本考案は、これらに限定されるものではない。
【００６２】
本考案は、その主旨を逸脱しない範囲で当業者の知識に基づき種々の改良、修正、変更を加えた態様で実施できるものである。
【産業上の利用可能性】
【００６３】
本考案に係る商品包装体は、包装する商品によらず、商品の高い視認性を維持しつつ宣伝情報等をスリーブ外容器に低コストで高精細にカラー印刷することができる商品包装体として用いることができる。
【符号の説明】
【００６４】
１００・・・・商品包装体
１１０、２１０・・・筒状包装カバー
１１０Ｔ・・・頂部挿入口
１１０Ｂ・・・底部挿入口
１１０ＢＢ・・底部挿入口端縁
１１０Ｆ・・・折曲線
１１１・・・・カバー正そくめん３
１１１Ｂ・・・カバー正側面底端縁
１１２ａ・・・カバー左側面
１１２ａＢ・・カバー左側面底端縁
１１２ｂ・・・カバー右側面
１１２ｂＢ・・カバー右側面底端縁
１１３・・・・カバー背側面
１１３Ｂ・・・カバー背側面底端縁
１１４・・・・係合孔
１１５・・・・商品視認窓
１１６・・・・陳列用孔部
１２０、２２０・・・ブリスター容器
１２１・・・・正面側支持面
１２２ａ・・・容器外周壁面（左）
１２２ｂ・・・容器外周壁面（右）
１２２ｃ・・・容器外周壁面（上）
１２２ｄ・・・容器外周壁面（下）
１２３・・・・背面側支持面
１２４・・・・凹部
１２４ａ・・・凹部左面
１２４ｂ・・・凹部右面
１２４ｃ・・・凹部上面
１２４ｄ・・・凹部下面
１２５・・・・商品収容部
１２６・・・・突起部
１２７ａ・・・左周縁部
１２７ｂ・・・右周縁部
１２７ｃ・・・上周縁部
１２７ｄ・・・下周縁部
Ｌ１１１・・・正面幅寸法（カバー正側面の周方向寸法）
Ｌ１１２ａ・・左面厚み寸法（カバー左側面の周方向寸法）
Ｌ１１２ｂ・・右面厚み寸法（カバー右側面の周方向寸法）
Ｌ１１３・・・背面幅寸法（カバー背側面の周方向寸法）
Ｓ・・・・・・商品収容空間
Ｐ・・・・・・商品
【図１】
0003229452.tif 000003
【図２】
0003229452.tif 000004
【図３】
0003229452.tif 000005
【図４Ａ】
0003229452.tif 000006
【図４Ｂ】
0003229452.tif 000007
【図５Ａ】
0003229452.tif 000008
【図５Ｂ】
0003229452.tif 000009
【図６】
0003229452.tif 000010
【図７】
0003229452.tif 000011
【図８】
0003229452.tif 000012